(57)【要約】      （修正有）【課題】鉄塔等の送電設備における、例えば、劣化診断作業等の種々の高所作業において、作業員が使用する工具を落下させてしまう事態の発生を確実に阻止すると共に、必要な工具の取り出しと収納を円滑に行って、高所作業における作業効率を飛躍的に向上させることのできる、工具類の収納用バッグを提供する。【解決手段】バッグ本体内に仕切り部材を設置した工具類の収納用バッグであり、仕切り部材３は、バッグ本体の底部の形状に合わせた底板４の下方に所定の内部空間を有する台座５を備え、台座の内部空間に巻き取り式落下防止具６を配置し、底板に設けた小孔を介して巻き取り式落下防止具のワイヤーを底板上に引き出し、ワイヤーに各種の工具を取り付けたことを特徴とする。【選択図】図１
0003204143.tif 000002
【実用新案登録請求の範囲】
【請求項１】
バッグ本体内に仕切り部材を設置した工具類の収納用バッグであり、
仕切り部材は、バッグ本体の底部の形状に合わせた底板の下方に所定の内部空間を有する台座を備え、この台座の内部空間に巻き取り式落下防止具を配置し、底板に設けた小孔を介して巻き取り式落下防止具のワイヤーを底板上に引き出し、ワイヤーに各種の工具を取り付けたことを特徴とする、工具類の収納用バッグ。
【請求項２】
仕切り部材を構成している台座の底板に複数の小孔を設けると共に、台座の内部空間に複数の巻き取り式落下防止具を設置し、底板に設けた複数の小孔を介して、それぞれの巻き取り式落下防止具のワイヤーを底板上に引き出し、それぞれのワイヤーに各種の工具を取り付けた請求項１に記載の工具類の収納用バッグ。
【請求項３】
台座の内部空間に配置する巻き取り式落下防止具は、所定の容器内に、ワイヤーを巻回しているドラムを回転可能に収容しており、ワイヤーの巻き取り方向に付勢するバネ部材を備えて、ワイヤーの引き出し・巻き取りが可能である請求項１または２に記載の工具類の収納用バッグ。
【請求項４】
仕切り部材を構成している台座の底板の上方に複数の区画を形成する立設板を配置し、底板上に形成されたそれぞれの区画に小孔を設けると共に、区画数・小孔数に対応した数の巻き取り式落下防止具を台座の内部空間に配置し、区画毎に設けた小孔を介して、それぞれの巻き取り式落下防止具のワイヤーを底板上の区画内に引き出し、それぞれのワイヤーに各種の工具を取り付けた請求項１乃至３のいずれかに記載の工具類の収納用バッグ。
【請求項５】
立設板により台座の底板上に形成された複数の区画は、配置する工具の形状に合わせている請求項４に記載の工具類の収納用バッグ。
【請求項６】
立設板により台座の底板上に形成された複数の区画内において、必要に応じて台座の底板に所定の穴を設け、この穴に工具の端部を挿入して、工具を立てた状態で台座の底板に配置する請求項４または５に記載の工具類の収納用バッグ。
【請求項７】
複数の区画を形成する立設板は、長方形状の台座の底板において、底板の長手方向に沿うようにして所定の間隔を開けて配置された複数の固定区画板と、底板の短手方向に沿うようにして固定区画板に直交するように配置した複数の小区画板により形成されている請求項４乃至６のいずれかに記載の工具類の収納用バッグ。
【請求項８】
複数の区画を形成する立設板は、長方形状の台座の底板において、底板の長手方向に沿うようにして所定の間隔を開けて配置された２枚の固定区画板と、底板の短手方向に沿うようにして固定区画板に直交するように配置した２枚の小区画板により形成されている請求項４乃至６のいずれかに記載の工具類の収納用バッグ。
【請求項９】
固定区画板に配置する小区画板は、移動可能である請求項７または８に記載の工具類の収納用バッグ。
【請求項１０】
バッグ本体は、カラビナを有する固定ロープを備えている請求項１乃至９のいずれかに記載の工具類の収納用バッグ。
【請求項１１】
バッグ本体は、作業員への首掛け用ベルトを備えている請求項１乃至１０のいずれかに記載の工具類の収納用バッグ。
【考案の詳細な説明】
【技術分野】
【０００１】
本考案は、鉄塔等の送電設備における、例えば、劣化診断作業等の種々の高所作業において、作業員が使用する工具を落下させてしまう事態の発生を確実に阻止すると共に、必要な工具の取り出しと収納を円滑に行って、高所作業における作業効率を飛躍的に向上させることのできる、工具類の収納用バッグに関するものである。
【背景技術】
【０００２】
鉄塔等の送電設備における高所作業としては、様々な種類の作業が存在しており、個々の作業毎に多くの工具が使用されている。
【０００３】
例えば、鉄塔等の送電設備における劣化診断作業においては、例えば、図１０に示すように、補修用スプレーＡ、塗装面の厚さを測定する膜厚計Ｂ、ケレン作業用の鋲かきＣ、作業箇所を明示するマーキングペンＤ、塗膜の付着力を確認するために使用するセロハンテープＥ、ゲージＧ等の多くの工具が使用されている。
【０００４】
これらの工具Ａ・Ｂ・Ｃ・Ｄ・Ｅ・Ｇは、例えば、カラビナを有する固定ロープを備えている所定の工具袋１００に収容され、作業員が身に付けている胴ベルト等に工具袋１００が吊り下げられた状態で、作業員が鉄塔等の高所に移動する。
【０００５】
そして、該当する作業箇所において、作業員の安全を確保する落下防止の措置を充分に施した後、工具袋１００は作業員の胴ベルトから取り外されて、工具袋１００が備えているカラビナを作業箇所における所定の部材に掛け、固定ロープにより工具袋１００を吊り下げた状態として作業員が所定の作業を行っている。
【０００６】
このとき、作業員が使用する工具を落下させてしまう事態の発生を確実に阻止するために、図１０に示すように、個々の工具Ａ・Ｂ・Ｃ・Ｄ・Ｅ・Ｇは、所定の長さの細紐１０１を介して工具袋１００に結び留められている。
【０００７】
細紐１０１に結び留められているこれらの工具Ａ・Ｂ・Ｃ・Ｄ・Ｅ・Ｇは、図１１に示すように、仕切り等が存在していない工具袋１００内に、ランダムな状態でまとめて収容されている。
【０００８】
この他、作業用の工具袋２００としては、図１３（ａ）（ｂ）に示すように、円筒状の側壁と底部を有する袋状の工具袋本体２０１と、底部に下縁が底部縁部の所定位置から中央位置まで固着されると共に側縁が側壁内面にスライドファスナーによって着脱自在に接合可能な矩形シート状の間仕切り２０２を有する工具袋２００として、特許文献１に示すものが存在している。
【先行技術文献】
【特許文献】
【０００９】
【特許文献１】特開２０１２−７６１８２号公報
【考案の概要】
【考案が解決しようとする課題】
【００１０】
しかしながら、上記した鉄塔等の送電設備における劣化診断作業において、図１０・図１１に示す工具袋１００を使用すると、以下のような弊害が生じている。
【００１１】
即ち、図１０・図１１に示すように、個々の工具Ａ・Ｂ・Ｃ・Ｄ・Ｅ・Ｇは、所定の長さの細紐１０１を介して工具袋１００に結び留められていることから、例えば、工具袋１００からマーキングペンＤを取り出して作業箇所を明示した後に、工具袋１００にマーキングペンＤを戻し、次に、工具袋１００から鋲かきＣを取り出してケレン作業を実施した後に、工具袋１００に鋲かきＣを戻す等の行為を連続して行うと、図１２に示すように、工具袋１００内において、個々の工具Ａ・Ｂ・Ｃ・Ｄ・Ｅ・Ｇを結び留めている細紐１０１同士が絡み合い易かった。
【００１２】
その結果、次の作業工程で使用する特定の工具Ａ・Ｂ・Ｃ・Ｄ・Ｅ・Ｇを工具袋１００から取り出そうとしたときに、絡み合っている細紐１０１同士により、希望する工具Ａ・Ｂ・Ｃ・Ｄ・Ｅ・Ｇを工具袋１００から取り出すことができない事態が生じていた。
【００１３】
また、特定の工具Ａ・Ｂ・Ｃ・Ｄ・Ｅ・Ｇを工具袋１００から取り出したときに、引き出した細紐１０１が極端に短くなってしまい、工具袋１００から所定の距離だけ離れた位置での劣化診断作業を実施できない事態も生じていた。
【００１４】
そして、絡み合っている細紐１０１同士を解く作業を随時実施すると、この細紐１０１の解き作業に時間を要して、高所作業における作業効率が著しく低下してしまう要因となっていた。
【００１５】
特に、作業員は手袋をしていることから、絡み合っている細紐１０１同士を素早く解くことが難しかった。
【００１６】
さらに、底の深い工具袋１００を使用した場合においては、絡み合っている細紐１０１の存在により、補修用スプレーＡ、膜厚計Ｂ、鋲かきＣ等の工具を視認することが困難となり、手探り状態となって、作業員が希望する工具Ａ・Ｂ・Ｃ・Ｄ・Ｅ・Ｇを工具袋１００から取り出すことができない事態も生じていた。
【００１７】
加えて、従来の工具袋１００は、作業箇所における所定の部材にカラビナを掛けて固定ロープを介して工具袋１００を吊り下げていることから、鉄塔等の送電設備における高所作業の現場において、工具袋１００の吊り下げ位置が極めて限定されることとなり、ときとして作業員に無理な姿勢での作業を強いることとなり、作業員が疲労してしまう事態も生じていた。
【００１８】
この他、特許文献１に示す工具袋１００においては、スライドファスナーの上下動により工具袋１００内の収納スペースの分割を迅速且つ容易に行うことができるものの、工具袋１００内に収容する各種工具の落下防止について、何等対策が施されていないことから、使用する工具を作業員が落下させてしまう危険性がある。
【００１９】
そこで、本考案は如上のような従来存した諸事情に鑑み創出されたもので、鉄塔等の送電設備における、例えば、劣化診断作業等の種々の高所作業において、作業員が使用する工具を落下させてしまう事態の発生を確実に阻止すると共に、必要な工具の取り出しと収納を円滑に行って、高所作業における作業効率を飛躍的に向上させることのできる、工具類の収納用バッグを提供することを目的とする。
【課題を解決するための手段】
【００２０】
本考案に係る請求項１の考案は、バッグ本体内に仕切り部材を設置した工具類の収納用バッグであり、仕切り部材は、バッグ本体の底部の形状に合わせた底板の下方に所定の内部空間を有する台座を備え、この台座の内部空間に巻き取り式落下防止具を配置し、底板に設けた小孔を介して巻き取り式落下防止具のワイヤーを底板上に引き出し、ワイヤーに各種の工具を取り付けたことで、上述した課題を解決した。
【００２１】
この請求項１に係る工具類の収納用バッグによれば、バッグ本体内に仕切り部材を設置しており、仕切り部材は、バッグ本体の底部の形状に合わせた底板の下方に所定の内部空間を有する台座を備え、この台座の内部空間に巻き取り式落下防止具を配置し、底板に設けた小孔を介して巻き取り式落下防止具のワイヤーを底板上に引き出し、ワイヤーに各種の工具を取り付けていることから、
作業時に必要としている工具を、台座内に配置している巻き取り式落下防止具のワイヤーを引き出しながら、バッグ本体内から適宜取り出す事ができる。
【００２２】
また、使用した工具をバッグ本体内に戻すときは、台座内に配置している巻き取り式落下防止具にワイヤーが自然に巻き取られて、バッグ本体内に工具を円滑に収容する事ができる。
【００２３】
そして、台座内に配置している巻き取り式落下防止具のワイヤーに各種の工具を取り付けていることから、種々の高所作業において、作業員が誤って工具を落下させてしまう事態の発生を確実に阻止することができる。
【００２４】
その結果、落下対策として落下防止ネットを設置する必要がなくなり、全体の工事費用を削減することができる。
【００２５】
本考案に係る請求項２の考案は、仕切り部材を構成している台座の底板に複数の小孔を設けると共に、台座の内部空間に複数の巻き取り式落下防止具を設置し、底板に設けた複数の小孔を介して、それぞれの巻き取り式落下防止具のワイヤーを底板上に引き出し、それぞれのワイヤーに各種の工具を取り付けたことで、同じく、上述した課題を解決した。
【００２６】
この請求項２に係る工具類の収納用バッグによれば、仕切り部材を構成している台座の底板に複数の小孔を設けると共に、台座の内部空間に複数の巻き取り式落下防止具を設置し、底板に設けた複数の小孔を介して、それぞれの巻き取り式落下防止具のワイヤーを底板上に引き出し、それぞれのワイヤーに各種の工具を取り付けていることから、
バッグ本体内に設置されている仕切り部材内に複数の工具を収容している状態において、必要としている工具を、台座内に配置している巻き取り式落下防止具のワイヤーを引き出しながら、バッグ本体内から適宜取り出す事ができる。
【００２７】
また、使用した工具をバッグ本体内に戻すときも、台座内に配置している巻き取り式落下防止具にワイヤーが自然に巻き取られて、バッグ本体内に工具を円滑に収容する事ができる。
【００２８】
このとき、複数の巻き取り式落下防止具が台座内に配置されて、底板に設けた複数の小孔を介して、それぞれの巻き取り式落下防止具のワイヤーが底板上に引き出され、また、それぞれのワイヤーが巻き取り式落下防止具に巻き取られるので、複数の巻き取り式落下防止具のワイヤーが絡み合ってしまうような事態の発生を確実に阻止できる。
【００２９】
その結果、図１２に示す従来の工具袋１００のように、工具袋１００内で細紐１０１同士が絡み合うような事態の発生を回避して、希望する工具をバッグ本体内から取り出すことができないような事態や、ワイヤーが極端に短くなって、所定の距離だけ離れた位置での作業を実施できないような事態の発生も阻止できる。
【００３０】
また、ワイヤーが絡み合ってしまう事態がそもそも発生しないことから、ワイヤーの絡みを解く作業も不要となり、全体の作業時間を短縮して、高所作業における作業効率を著しく向上させることができる。
【００３１】
本考案に係る請求項３の考案は、台座の内部空間に配置する巻き取り式落下防止具は、所定の容器内に、ワイヤーを巻回しているドラムを回転可能に収容しており、ワイヤーの巻き取り方向に付勢するバネ部材を備えて、ワイヤーの引き出し・巻き取りが可能であることで、同じく、上述した課題を解決した。
【００３２】
この請求項３に係る工具類の収納用バッグによれば、台座の内部空間に配置する巻き取り式落下防止具は、所定の容器内に、ワイヤーを巻回しているドラムを回転可能に収容しており、ワイヤーの巻き取り方向に付勢するバネ部材を備えて、ワイヤーの引き出し・巻き取りが可能であることから、
作業時に必要としている工具を、巻き取り式落下防止具のワイヤーを引き出しながら、バッグ本体内から適宜取り出す事ができる。
【００３３】
また、使用した工具をバッグ本体内に戻すときは、巻き取り式落下防止具のワイヤーが自然に巻き取られて、バッグ本体内に工具を円滑に収容する事ができる。
【００３４】
このように、バッグ本体内からの工具の取り出しと、バッグ本体内への工具の収容が極めて容易であることから、作業員の疲労を解消すると共に、作業時間も大幅に短縮して、高所作業における作業効率を向上させることができる。
【００３５】
本考案に係る請求項４の考案は、仕切り部材を構成している台座の底板の上方に複数の区画を形成する立設板を配置し、底板上に形成されたそれぞれの区画に小孔を設けると共に、区画数・小孔数に対応した数の巻き取り式落下防止具を台座の内部空間に配置し、区画毎に設けた小孔を介して、それぞれの巻き取り式落下防止具のワイヤーを底板上の区画内に引き出し、それぞれのワイヤーに各種の工具を取り付けたことで、同じく、上述した課題を解決した。
【００３６】
この請求項４に係る工具類の収納用バッグによれば、仕切り部材を構成している台座の底板の上方に複数の区画を形成する立設板を配置し、底板上に形成されたそれぞれの区画に小孔を設けると共に、区画数・小孔数に対応した数の巻き取り式落下防止具を台座の内部空間に配置し、区画毎に設けた小孔を介して、それぞれの巻き取り式落下防止具のワイヤーを底板上の区画内に引き出し、それぞれのワイヤーに各種の工具を取り付けたことから、
仕切り部材の区画毎に工具を収容することが可能となる。
【００３７】
そのため、バッグ本体内において、複数の工具が重なり合って配置されるような事態の発生を阻止できる。
【００３８】
その結果、作業員は、バッグ本体内に収容されている各種の工具を常に視認することができ、必要な工具を即座に取り出すことができる。
【００３９】
また、使用した工具を元の区画に戻すことにより、工具の取り出し手順の簡便性が継続して維持されるものとなる。
【００４０】
本考案に係る請求項５の考案は、立設板により台座の底板上に形成された複数の区画は、配置する工具の形状に合わせていることで、同じく、上述した課題を解決した。
【００４１】
この請求項５に係る工具類の収納用バッグによれば、立設板により台座の底板上に形成された複数の区画は、配置する工具の形状に合わせていることから、
特に所定の長さと大きさを有する、例えば、電動工具等をガタ付きなくバッグ本体内に収容する事ができる。
【００４２】
本考案に係る請求項６の考案は、立設板により台座の底板上に形成された複数の区画内において、必要に応じて台座の底板に所定の穴を設け、この穴に工具の端部を挿入して、工具を立てた状態で台座の底板に配置することで、同じく、上述した課題を解決した。
【００４３】
この請求項６に係る工具類の収納用バッグによれば、立設板により台座の底板上に形成された複数の区画内において、必要に応じて台座の底板に所定の穴を設け、この穴に工具の端部を挿入して、工具を立てた状態で台座の底板に配置することで、例えば、マーキングペンや膜厚計等の細長形状の工具を立てた状態で区画内に配置することが可能となり、バッグ本体内のスペースを有効に活用できる。
【００４４】
また、立てた状態となっている細長形状の工具の短部を指で摘んで、当該工具の取り出しが極めて容易となる。
【００４５】
本考案に係る請求項７の考案は、複数の区画を形成する立設板は、長方形状の台座の底板において、底板の長手方向に沿うようにして所定の間隔を開けて配置された複数の固定区画板と、底板の短手方向に沿うようにして固定区画板に直交するように配置した複数の小区画板により形成されていることで、同じく、上述した課題を解決した。
【００４６】
この請求項７に係る工具類の収納用バッグによれば、複数の区画を形成する立設板は、長方形状の台座の底板において、底板の長手方向に沿うようにして所定の間隔を開けて配置された複数の固定区画板と、底板の短手方向に沿うようにして固定区画板に直交するように配置した複数の小区画板により形成されていることから、
収容する工具の種類と数、その形状に応じて、仕切り部材に好ましい数と形状の区画を随時形成できる。
【００４７】
本考案に係る請求項８の考案は、複数の区画を形成する立設板は、長方形状の台座の底板において、底板の長手方向に沿うようにして所定の間隔を開けて配置された２枚の固定区画板と、底板の短手方向に沿うようにして固定区画板に直交するように配置した２枚の小区画板により形成されていることで、同じく、上述した課題を解決した。
【００４８】
この請求項８に係る工具類の収納用バッグによれば、複数の区画を形成する立設板は、長方形状の台座の底板において、底板の長手方向に沿うようにして所定の間隔を開けて配置された２枚の固定区画板と、底板の短手方向に沿うようにして固定区画板に直交するように配置した２枚の小区画板により形成されていることから、
例えば、鉄塔等の送電設備における劣化診断作業時に使用する、補修用スプレー、塗装面の厚さを測定する膜厚計、ケレン作業用の鋲かき、作業箇所を明示するマーキングペン、塗膜の付着力を確認するために使用するセロハンテープ、ゲージ等の工具を収容するのに好ましい区画を備えたバッグ本体を形成できる。
【００４９】
本考案に係る請求項９の考案は、固定区画板に配置する小区画板は、移動可能であることで、同じく、上述した課題を解決した。
【００５０】
この請求項９に係る工具類の収納用バッグによれば、固定区画板に配置する小区画板は、移動可能であることから、
一つの収容バッグを準備することで、収容する工具の種類と数、その形状に応じて、台座の底板上に好ましい数と形状の区画を随時形成できる。
【００５１】
本考案に係る請求項１０の考案は、バッグ本体は、カラビナを有する固定ロープを備えていることで、同じく、上述した課題を解決した。
【００５２】
この請求項１０に係る工具類の収納用バッグによれば、バッグ本体は、カラビナを有する固定ロープを備えていることから、
作業現場における所定の部材にカラビナを掛けることで、固定ロープを介してバッグ本体を吊り下げた状態とし、バッグ本体が落下してしまう事態の発生を確実に阻止できる。
【００５３】
本考案に係る請求項１１の考案は、バッグ本体は、作業員への首掛け用ベルトを備えていることで、同じく、上述した課題を解決した。
【００５４】
この請求項１１に係る工具類の収納用バッグによれば、バッグ本体は、作業員への首掛け用ベルトを備えていることから、
このベルトを利用して、作業員の胸元側にバッグ本体を配置することが可能となる。
【００５５】
その結果、作業員は、バッグ本体内に収容されている各種の工具を常に上から視認することができ、必要な工具の取り出しと収容を簡単に行うことができる。
【００５６】
また、作業員は、無理な姿勢での作業を強いられることが無く、作業員が疲労してしまう事態の発生も回避できる。
【考案の効果】
【００５７】
本考案に係る工具類の収納用バッグにより、鉄塔等の送電設備における、例えば、劣化診断作業等の種々の高所作業において、作業員が使用する工具を落下させてしまう事態の発生を確実に阻止すると共に、必要な工具の取り出しと収納を円滑に行って、高所作業における作業効率を飛躍的に向上させることができる。
【図面の簡単な説明】
【００５８】
【図１】本考案に係る、工具類の収納用バッグの構成を示す分解斜視図である。
【図２】仕切り部材の構成を示す斜視図である。
【図３】バッグ本体内に、仕切り部材を設置している状態を示す斜視図である。
【図４】バッグ本体内に仕切り部材を設置し、巻き取り式落下防止具のワイヤーを引き出している状態を示す斜視図である。
【図５】固定区画板への小区画板の取り付け状態を示す分解斜視図である。
【図６】バッグ本体内に仕切り部材を設置し、仕切り部材の各区画に工具を配置している状態を示す斜視図である。
【図７】バッグ本体内に仕切り部材を設置し、仕切り部材の各区画に工具を配置している状態を示す斜視図である。
【図８】カラビナを有する固定ロープを備えているバッグ本体の構成を示す斜視図である。
【図９】バッグ本体の首掛け用ベルトを作業員の首に掛け、作業員の胸元側にバッグ本体を配置している状態を示す斜視図である。
【図１０】個々の工具が細紐を介して工具袋に結び留められている、従来の工具袋の構成を示す斜視図である。
【図１１】細紐に結び留められている個々の工具が、工具袋内にまとめて収容されている、従来の工具袋の構成を示す斜視図である。
【図１２】工具袋内において、個々の工具を結び留めている細紐同士が絡み合っている、従来の工具袋の構成を示す斜視図である。
【図１３】特許文献１に示す工具袋の構成を示すもので、（ａ）は袋状の工具袋本体内に、矩形シート状の間仕切りを有する工具袋の構成を示す斜視図、（ｂ）は袋状の工具袋本体内において、矩形シート状の間仕切りの取り付け位置を変更した工具袋の構成を示す斜視図である。
【考案を実施するための形態】
【００５９】
以下に、図面を参照して、本考案の一実施の形態について説明する。
【００６０】
＜実施の形態＞
本考案に係る工具類の収納用バッグ１は、図１に示すように、バッグ本体２と、バッグ本体２内に設置する仕切り部材３により構成されている。
【００６１】
バッグ本体２は、内部に仕切り部材３を設置可能な所定の空間を有し、上部にスライドファスナーにより開閉する開口部を備えている一般的なものである。
【００６２】
バッグ本体２内に設置する仕切り部材３は、図１・図２に示すように、底板４の下方に所定の内部空間を有する台座５を備え、この台座５の内部空間に巻き取り式落下防止具６を配置している。
【００６３】
台座５を構成する底板４は、バッグ本体１の底部の形状に合わせるように、長方形状に形成されている。この底板４には、小孔７が設けられている。
【００６４】
巻き取り式落下防止具６は、所定の容器８内に、ワイヤー９を巻回しているドラムを回転可能に収容している。また、図２に示すように、ワイヤー９の先端には、各種の工具（Ａ・Ｂ・Ｄ・Ｅ・Ｆ・Ｇ・Ｈ）を連結するためのリング部材９ａが取り付けられている。
【００６５】
巻き取り式落下防止具６を構成する容器８内には、ワイヤー９の巻き取り方向に付勢するバネ部材が内蔵されている。
【００６６】
そして、図２・図４に示すように、底板４に設けた小孔７を介して、ワイヤー９を底板４上に引き出す事が可能である。また、ワイヤー９を引き出した後に、ワイヤー９を解放すると、内蔵しているバネ部材を介して、引き出したワイヤー９が自動的に容器８内に巻き取られて、図２に示すように、底板４にリング部材９ａが当接している元の位置に復帰するのである。
【００６７】
本考案に係る工具類の収納用バッグ１においては、図２・図３に示すように、仕切り部材３を構成している台座５の底板４に複数の小孔７を設けると共に、台座５の内部空間に複数の巻き取り式落下防止具６を設置している。
【００６８】
そして、図６・図７に示すように、それぞれの巻き取り式落下防止具６のワイヤー９に、リング部材９ａを介して各種の工具（Ａ・Ｂ・Ｄ・Ｅ・Ｆ・Ｇ・Ｈ）を取り付けたものを基本的な構成とする。
【００６９】
尚、バッグ本体２内に収容する工具は、実施する作業の内容に応じて異なるもので、どのような工具を収容するものであっても良い。また、図に示す巻き取り式落下防止具６の容器８は、円柱状に形成されているが、これに限定されることは無く、ワイヤー９の引き出しと巻き取りが可能であれば、どのような形状であっても差し支えない。
【００７０】
この他、本考案に係る工具類の収納用バッグ１は、図２・図３に示すように、仕切り部材３を構成している台座５の底板４の上方に、複数の区画を形成する立設板１０を配置している。
【００７１】
そして、図１・図２に示すように、底板４上に形成されたそれぞれの区画に小孔７を設けると共に、区画数・小孔７数に対応した数の巻き取り式落下防止具６を台座５の内部空間に配置し、区画毎に設けた小孔７を介して、それぞれの巻き取り式落下防止具６のワイヤー９を底板４上の区画内に引き出し、それぞれのワイヤー９に、リング部材９ａを介して各種の工具（Ａ・Ｂ・Ｄ・Ｅ・Ｆ・Ｇ・Ｈ）を取り付けている。
【００７２】
尚、本考案に係る工具類の収納用バッグ１は、区画毎に小孔７を設けるものであるが、１つの区画に複数の小孔７を設けても良い。
【００７３】
複数の区画を形成する立設板１０は、図１に示すように、台座５を構成する長方形状の底板４において、底板４の長手方向に沿うようにして所定の間隔を開けて配置された２枚の固定区画板１１と、底板４の短手方向に沿うようにして固定区画板１１に直交するように配置した２枚の小区画板（１２ａ・１２ｂ）により形成されている。
【００７４】
所定の間隔を開けて底板４上に配置された２枚の固定区画板１１は、長方形状の底板４と同じ長さを備えており、バッグ本体２内に仕切り部材３を設置した状態において、図３に示すように、バッグ本体２内に、３個の長尺な区画Ｓ１・Ｓ２・Ｓ３を形成するものとなる。
【００７５】
また、固定区画板１１に直交するように配置した２枚の小区画板（１２ａ・１２ｂ）は、長方形状の底板４の短手方向と同じ長さを備えている小区画板１２ａと、長尺な区画Ｓ１の幅と同じ長さを備えている小区画板１２ｂにより構成されている。
【００７６】
そして、例えば、図３に示すように、固定区画板１１に直交するように、区画板１２ａ・１２ｂを所定の間隔を開けて組み付けて、バッグ本体２内に仕切り部材３を設置した状態において、バッグ本体２内に、２個の中尺な区画Ｓ４・Ｓ５
と、２個の短尺な区画Ｓ６・Ｓ７を形成するものとなる。
【００７７】
これらの区画は、図６・図７に示すように、基本的に配置する工具（Ａ・Ｂ・Ｄ・Ｅ・Ｆ・Ｇ・Ｈ）の形状に合わせるように構成されている。
【００７８】
尚、図に示す固定区画板１１・小区画板（１２ａ・１２ｂ）の数と配置は、一例であり、これに限定されることは無い。バッグ本体２内に収容する工具の数と形状に合わせて、固定区画板１１・小区画板（１２ａ・１２ｂ）を自由に組み付けて、どのような数と形状の区画（Ｓ１・Ｓ２・Ｓ３、Ｓ４・Ｓ５、Ｓ６・Ｓ７）を形成するものであっても差し支えない。
【００７９】
また、図２・図３に示すように、固定区画板１１に配置する小区画板１２ｂは、移動可能である。
【００８０】
このとき、図５に示すように、区画板１２ｂの端部に下向きの凹部を設ける一方、固定区画板１１の上部において、好ましい位置に上向きの凹部を設け、互いの凹部を係合させて、固定区画板１１に区画板１２ｂを配置するものとする。そして、係合する互いの凹部に面ファスナーを取り付けると、固定区画板１１と区画板１２ｂの固定手段として、好ましいものとなる。
【００８１】
さらに、図５に示すように、立設板１０により台座５の底板４上に形成された複数の区画Ｓ５・Ｓ６内において、必要に応じて台座５の底板４に所定の穴１３・１４を設け、図７に示すように、この穴１３・１４に多重刃カッターＨやマーキングペンＤの端部を挿入して、多重刃カッターＨやマーキングペンＤを立てた状態で台座５の底板４に配置するようにしても良い。
【００８２】
この他、図８に示すように、バッグ本体２は、カラビナ１５を有する固定ロープ１６を備えている。また、バッグ本体２は、作業員への首掛け用ベルト１７を備えている。
【００８３】
以下に、本考案に係る工具類の収納用バッグ１の使用例について説明する。
【００８４】
まず、図３に示すように、仕切り部材３を構成している台座５の底板４の上方に、立設板１０（固定区画板１１・小区画板１２ａ・１２ｂ）により、長尺な３個の区画Ｓ１・Ｓ２・Ｓ３、中尺な２個の区画Ｓ４・Ｓ５、短尺な２個の区画Ｓ６・Ｓ７を形成している場合において、基本的に、それぞれの区画Ｓ１・Ｓ２・Ｓ３、Ｓ４・Ｓ５、Ｓ６・Ｓ７に小孔７を設ける。
【００８５】
また、台座５の内部空間に、巻き取り式落下防止具６を、計７個配置し、それぞれの区画Ｓ１・Ｓ２・Ｓ３、Ｓ４・Ｓ５、Ｓ６・Ｓ７に設けた小孔７からワイヤー９を引き出し、底板４にリング部材９ａが当接している状態とする。
【００８６】
そして、図６・図７に示すように、一例として、区画Ｓ１のリング部材９ａに補修用スプレーＡを取り付け、区画Ｓ２のリング部材９ａに電動工具Ｆを取り付け、区画Ｓ３のリング部材９ａにゲージＧを取り付け、区画Ｓ４のリング部材９ａにセロハンテープＥを取り付け、区画Ｓ５のリング部材９ａに多重刃カッターＨを取り付け、区画Ｓ６のリング部材９ａにマーキングペンＤを取り付け、区画Ｓ７のリング部材９ａに膜厚計Ｂを取り付ける。
【００８７】
このように構成したバッグ本体２を用いて、作業員が鉄塔等の高所に移動するときは、スライドファスナーによりバッグ本体２の開口部を閉じ、バッグ本体２の首掛け用ベルト１７を、作業員の一方の肩から他方の脇に向けて斜めに掛けた状態とする。
【００８８】
作業員が鉄塔等の高所に移動し、作業箇所に到達したときには、当該場所において、まず、作業員の安全を確保する落下防止の措置を充分に施す。
【００８９】
次に、バッグ本体２の固定ロープ１６が備えているカラビナ１５を、作業箇所における所定の部材に掛け、バッグ本体２の落下を防止する。
【００９０】
そして、図９に示すように、バッグ本体２の首掛け用ベルト１７を作業員の首に掛け、作業員の胸元側にバッグ本体２を配置する。
【００９１】
この状態において、スライドファスナーによりバッグ本体２の開口部を開け、特定の区画（Ｓ１・Ｓ２・Ｓ３、Ｓ４・Ｓ５、Ｓ６・Ｓ７）に収容されている工具（Ａ・Ｆ・Ｇ・Ｅ・Ｈ・Ｄ・Ｂ）を手に持ち、当該区画（Ｓ１・Ｓ２・Ｓ３、Ｓ４・Ｓ５、Ｓ６・Ｓ７）の巻き取り式落下防止具６のワイヤー９を引き出しながら工具（Ａ・Ｆ・Ｇ・Ｅ・Ｈ・Ｄ・Ｂ）を取り出し、所定の部材に工具（Ａ・Ｆ・Ｇ・Ｅ・Ｈ・Ｄ・Ｂ）をあてがって作業を実施する。
【００９２】
当該工具（Ａ・Ｆ・Ｇ・Ｅ・Ｈ・Ｄ・Ｂ）による作業を終えたときは、巻き取り式落下防止具６にワイヤー９を巻き取らせながら、元の区画（Ｓ１・Ｓ２・Ｓ３、Ｓ４・Ｓ５、Ｓ６・Ｓ７）に工具（Ａ・Ｆ・Ｇ・Ｅ・Ｈ・Ｄ・Ｂ）を戻す。
【００９３】
これらの行為を連続して行う際に、作業員が使用する工具（Ａ・Ｆ・Ｇ・Ｅ・Ｈ・Ｄ・Ｂ）を落下させてしまう事態の発生を確実に阻止しながら、必要な工具（Ａ・Ｆ・Ｇ・Ｅ・Ｈ・Ｄ・Ｂ）の取り出しと収納を円滑に行って、鉄塔等の送電設備における、例えば、劣化診断作業等の種々の高所作業における作業効率の飛躍的な向上を実現しているのである。
【産業上の利用可能性】
【００９４】
本考案は、作業員が使用する工具を落下させてしまう事態の発生を確実に阻止すると共に、必要な工具の取り出しと収納を円滑に行って、高所作業における作業効率を飛躍的に向上させることのできる工具類の収納用バッグとして、劣化診断作業等をはじめとする、種々の高所作業に幅広く利用されるものである。
【符号の説明】
【００９５】
１…工具類の収納用バッグ
２…バッグ本体
３…仕切り部材
４…底板
５…台座
６…巻き取り式落下防止具
７…小孔
８…容器
９…ワイヤー
９ａ…リング部材
１０…立設板
１１…固定区画板
１２ａ…小区画板
１２ｂ…小区画板
１３…穴
１４…穴
１５…カラビナ
１６…固定ロープ
１７…首掛け用ベルト
Ｓ１…長尺な区画
Ｓ２…長尺な区画
Ｓ３…長尺な区画
Ｓ４…中尺な区画
Ｓ５…中尺な区画
Ｓ６…短尺な区画
Ｓ７…短尺な区画
Ａ…補修用スプレー
Ｂ…膜厚計
Ｃ…鋲かき
Ｄ…マーキングペン
Ｅ…セロハンテープ
Ｆ…電動工具
Ｇ…ゲージ
Ｈ…多重刃カッター
１００…工具袋
１０１…細紐
２００…工具袋
２０１…工具袋本体
２０２…間仕切り
【図１】
0003204143.tif 000003
【図２】
0003204143.tif 000004
【図３】
0003204143.tif 000005
【図４】
0003204143.tif 000006
【図５】
0003204143.tif 000007
【図６】
0003204143.tif 000008
【図７】
0003204143.tif 000009
【図８】
0003204143.tif 000010
【図９】
0003204143.tif 000011
【図１０】
0003204143.tif 000012
【図１１】
0003204143.tif 000013
【図１２】
0003204143.tif 000014
【図１３】
0003204143.tif 000015